(57)【要約】      （修正有）【課題】模様を明瞭かつ立体的に表示することができると共に、コンパクトに収納することができる盆提灯を提供する。【解決手段】外火袋１の内部に外火袋より小さい内火袋２を収容し、両火袋の上端開口縁部と下端開口縁部は上加輪枠３と下加輪枠４でそれぞれ一体に連結され、下加輪枠を嵌合状態で固定する台盤５には灯明６を備え、外火袋は略円状（丸状）で内火袋は円筒状であり、外火袋と内火袋は巻骨と巻骨に張設されている柔軟性を有する張り材で伸縮自在に形成され、内火袋の張り材に個々が模様を表すか又は個々の集合により模様を表す透光口９が所要数貫通して設けられ、外火袋の張り材の一部には模様１０が表示されている。【選択図】図１
0003226366.tif 000002
【実用新案登録請求の範囲】
【請求項１】
外火袋の内部に該外火袋より小さい内火袋を収容し、両火袋の上端開口縁部と下端開口縁部は上加輪枠と下加輪枠でそれぞれ一体に連結され、前記下加輪枠を嵌合状態で固定する台盤には灯明を備えた盆提灯であって、
前記外火袋は略円状（丸状）で内火袋は円筒状であり、
前記外火袋と内火袋は巻骨と該巻骨に張設されている柔軟性を有する張り材で伸縮自在に形成され、
前記内火袋の張り材に個々が模様を表すか又は個々の集合により模様を表す透光口が所要数貫通して設けられていることを特徴とする盆提灯。
【請求項２】
請求項１に記載の盆提灯において、
前記外火袋の張り材の一部には模様が表示されていることを特徴とする盆提灯。
【請求項３】
請求項１又は２に記載の盆提灯において、
前記盆提灯は、前記下加輪枠を固定する台盤下側に着脱自在に設けられる３本の支脚と、各支脚の間隔を整える着脱自在な連結具と、台盤の上側に着脱自在に設けられ、外火袋と内火袋を吊下げた状態で支える２本の柱と、該両柱の上部に渡して設けられる着脱自在な取手と、を備えた床置き型の盆提灯であり、
前記両柱の上端側には、上加輪枠に備えた２本の吊紐を引っ掛けるピンを供え、
前記台盤の上面の外周縁部には、台盤に嵌合した下加輪枠を固定する断面コ字状の下加輪枠止め具を複数備え、
前記下加輪枠の上端縁部には、回転により前記各下加輪枠止め具に係脱自在な係止爪を備えていることを特徴とする盆提灯。
【考案の詳細な説明】
【技術分野】
【０００１】
本考案は、盆提灯に関する。
【背景技術】
【０００２】
本出願人は、以前盆提灯として、特開２００９−１３５０４１号の特許出願を行った。
この特許は、円状（丸状）の外火袋の内部に該外火袋より小さい円状（丸状）の内火袋を収容した提灯であって、 前記外火袋と内火袋は、巻骨と該巻骨に張設されている柔軟性を有する張り材で形成されており、 灯明が収容可能な前記内火袋の張り材に、個々が模様を表すか、または個々の集合により模様を表す透光口が所要数貫通して設けられた構造となっている（特許文献１参照）。
【先行技術文献】
【特許文献】
【０００３】
【特許文献１】特開２００９−１３５０４１号
【考案の概要】
【考案が解決しようとする課題】
【０００４】
しかしながら、従来の提灯は、外火袋と内火袋が共に円状（丸状）であるため、両火袋の間隔が狭く、両火袋に表された模様が近くに重なるため平面的で立体感に欠けるという問題があった。
【０００５】
本考案の解決しようとする課題は、模様を明瞭かつ立体的に表示することができると共に、コンパクトに収納することができる盆提灯を提供することにある。
【課題を解決するための手段】
【０００６】
上記課題を解決するため請求項１記載の盆提灯は、外火袋の内部に該外火袋より小さい内火袋を収容し、両火袋の上端開口縁部と下端開口縁部は上加輪枠と下加輪枠でそれぞれ一体に連結され、前記下加輪枠を嵌合状態で固定する台盤には灯明を備えた盆提灯であって、
前記外火袋は略円状（丸状）で内火袋は円筒状であり、
前記外火袋と内火袋は巻骨と該巻骨に張設されている柔軟性を有する張り材で伸縮自在に形成され、
前記内火袋の張り材に個々が模様を表すか又は個々の集合により模様を表す透光口が所要数貫通して設けられていることを特徴とする。
【０００７】
請求項２記載の盆提灯は、請求項１に記載の盆提灯において、
前記外火袋の張り材の一部には模様が表示されていることを特徴とする。
【０００８】
請求項３記載の盆提灯は、請求項１又は２に記載の盆提灯において、
前記盆提灯は、前記下加輪枠を固定する台盤下側に着脱自在に設けられる３本の支脚と、各支脚の間隔を整える着脱自在な連結具と、台盤の上側に着脱自在に設けられ、外火袋と内火袋を吊下げた状態で支える２本の柱と、該両柱の上部に渡して設けられる着脱自在な取手と、を備えた床置き型の盆提灯であり、
前記両柱の上端側には、上加輪枠に備えた２本の吊紐を引っ掛けるピンを供え、
前記台盤の上面の外周縁部には、台盤に嵌合した下加輪枠を固定する断面コ字状の下加輪枠止め具を複数備え、
前記下加輪枠の上端縁部には、回転により前記各下加輪枠止め具に係脱自在な係止爪を備えていることを特徴とする。
【考案の効果】
【０００９】
本発明の盆提灯では、上述のように、外火袋は略円状（丸状）で内火袋は円筒状にすることで、内火袋に表示された模様が 灯明で照らされて外火袋内の深い位置で明るく光るため、模様を明瞭かつ立体的に表示することができるようになるという効果が得られる。
【００１０】
また、上述のように、前記台盤の上面の外周縁部には、台盤に嵌合した下加輪枠を固定する断面コ字状の下加輪枠止め具を複数備え、下加輪枠の上端縁部には、回転により各下加輪枠止め具に係脱自在な係止爪を備えることで、外火袋と内火袋の下端縁部を一体に固定した下加輪枠を単に回転させるだけで台盤に着脱自在に固定することができ、これにより一体化された両火袋を台盤と分離してコンパトに収納することができるようになる。
【図面の簡単な説明】
【００１１】
【図１】実施例１の床置き型盆提灯の使用形態を示す一部切欠正面図である。
【図２】図１のＢ部拡大図である。
【図３】台盤を示す平面図である。
【図４】台盤を示す正面図である。
【図５】図３のＣ―Ｃ線における縦断正面図である。
【図６】台盤の下加輪枠止め具に下加輪枠の係止め具が係合した状態を示す要部の斜視図である。
【考案を実施するための形態】
【００１２】
以下にこの考案の実施例を図面に基づいて説明する。
【実施例１】
【００１３】
まず、この実施例１の床置き型盆提灯を図面に基づいて説明する。
この実施例１では、床置き型盆提灯を例にとって説明する。
この実施例１の床置き型盆提灯Ａは、図１、２に示すように、外火袋１の内部に該外火袋１より小さい内火袋２を収容し、両火袋１、２の上端開口縁部と下端開口縁部は木製又はプラスチック製の上加輪枠３と下加輪枠４でそれぞれ一体に連結され、下加輪枠４を嵌合状態で固定する台盤５にはローソクや電球等の灯明６を備えている。
【００１４】
前記外火袋１は略円状（丸状）で内火袋２は円筒状であり、外火袋１と内火袋２は巻骨７と該巻骨７に張設されている柔軟性を有する張り材８で伸縮自在に形成されている。
【００１５】
前記内火袋２の張り材８には、個々が模様を表すか又は個々の集合により模様を表す透光口９が所要数貫通して設けられ、外火袋１の張り材８の一部には模様１０が表示されている。
【００１６】
また、前記床置き型盆提灯Ａは、下加輪枠４を固定する台盤５の下側に着脱自在に設けられる３本の支脚１１と、各支脚１１の間隔を整える着脱自在な連結具１２と、台盤５の上側に着脱自在に設けられ、外火袋１と内火袋２を吊下げた状態で支える２本の柱１３と、該両柱１３の上部に渡して設けられる着脱自在な取手１４とを備え、両柱１１の上端側には、上加輪枠３に備えた２本の吊紐１５を引っ掛けるピン１６を供えている。
【００１７】
また、図３〜６に示すように、台盤５の上面の外周縁部には、台盤５に嵌合した下加輪枠４を固定する断面コ字状の下加輪枠止め具１７を複数備え、下加輪枠４の上端縁部には、回転により各下加輪枠止め具１７に係脱自在な係止爪１８を備えている。
【００１８】
次に、この実施例１の作用効果を説明する。
この実施例１の床置き型盆提灯Ａでは、上述のように、外火袋１は略円状（丸状）で内火袋２は円筒状にすることで、内火袋２に表示された模様が 灯明６で照らされて外火袋１内の深い位置で明るく光るため、模様を明瞭かつ立体的に表示することができるようになるという効果が得られる。
【００１９】
また、上述のように、台盤５の上面の外周縁部には、台盤５に嵌合した下加輪枠４を固定する断面コ字状の下加輪枠止め具１７を複数備え、下加輪枠４の上端縁部には、回転により各下加輪枠止め具１７に係脱自在な係止爪１８を備えることで、外火袋１と内火袋２の下端縁部を一体に固定した下加輪枠４を単に回転させるだけで台盤５に着脱自在に固定することができ、これにより一体化された両火袋１、２を台盤５と分離してコンパトに収納することができるようになる。
【００２０】
以上本実施例を説明してきたが、本考案は上述の実施例に限られるものではなく、本考案の要旨を逸脱しない範囲の設計変更等があっても、本考案に含まれる。
【００２１】
例えば、実施例では、内火袋に表示する模様として個々の集合により模様を表す透光口が所要数貫通して設けた例を示したが、単に模様を表してもよい。
【００２２】
また、実施例では、床置き型の盆提を例にとって説明したが、吊下げ型の盆提灯にも本考案を適用することができる。この場合は、支脚１１と、連結具１２と、柱１３と、取手１４と、吊紐１５は省略され、上加輪枠３に吊下げ具が追加された形態となる。
【符号の説明】
【００２３】
Ａ  床置き型盆提灯
１  外火袋
２  内火袋
３  上加輪枠
４  下加輪枠
５  台盤
６  灯明
７  巻骨
８  張り材
９  透光口
１０  模様
１１  支脚
１２  連結具
１３  柱
１４  取手
１５  吊紐
１６  ピン
１７  下加輪枠止め具
１８  係止爪
【図１】
0003226366.tif 000003
【図２】
0003226366.tif 000004
【図３】
0003226366.tif 000005
【図４】
0003226366.tif 000006
【図５】
0003226366.tif 000007
【図６】
0003226366.tif 000008